(57)【要約】【課題】  絵柄に応じた輪郭補正及び補間画素生成を行う。【解決手段】  入力画像の各画素位置について画素間の相関方向を判定して相関方向判定結果を出力する相関方向判定部と、 前記入力画像の各画素から前記相関方向判定結果に基づく周波数帯域成分を強調帯域成分として抽出する強調帯域成分抽出部と、前記強調帯域成分を用いて前記入力画像の各画素を輪郭強調処理する輪郭強調処理部と、前記輪郭強調処理された画素を用いて前記補間画素を生成する補間画素生成部とを具備したことを特徴とする。【選択図】図１
2010171624.tif 000002
【特許請求の範囲】
【請求項１】
入力画像の各画素位置について画素間の相関方向を判定して相関方向判定結果を出力する相関方向判定部と、 
前記入力画像の各画素から前記相関方向判定結果に基づく周波数帯域成分を強調帯域成分として抽出する強調帯域成分抽出部と、
前記強調帯域成分を用いて前記入力画像の各画素を輪郭強調処理する輪郭強調処理部と
を具備したことを特徴とする輪郭補正回路。
【請求項２】
入力画像の各画素位置及び補間画素の画素位置について画素間の相関方向を判定して相関方向判定結果を出力する相関方向判定部と、 
前記入力画像の各画素から前記相関方向判定結果に基づく周波数帯域成分を強調帯域成分として抽出する強調帯域成分抽出部と、
前記強調帯域成分を用いて前記入力画像の各画素を輪郭強調処理する輪郭強調処理部と、
前記輪郭強調処理された画素を用いて前記補間画素を生成する補間画素生成部と
を具備したことを特徴とする補間画素生成回路。
【請求項３】
前記強調帯域成分抽出部は、前記相関方向判定結果に基づく水平周波数帯域成分と垂直周波数帯域成分とに分けて、前記強調帯域成分を求めることを特徴とする請求項２に記載の補間画素生成回路。
【請求項４】
前記強調帯域成分抽出部は、前記強調帯域成分抽出部によって抽出された前記強調帯域成分に、前記相関方向判定結果に基づくゲインを付すことを特徴とする請求項２又は３に記載の補間画素生成回路。
【請求項５】
前記強調帯域成分抽出部は、前記強調帯域成分抽出部によって抽出された前記強調帯域成分に、前記相関方向判定結果に基づくコアリング特性を付すことを特徴とする請求項２から４のいずれか１つに記載の補間画素生成回路。
【発明の詳細な説明】
【技術分野】
【０００１】
本発明は、絵柄相関スケーリングを行う補間フィルタに好適な輪郭補正回路及び補間画素生成回路に関する。
【背景技術】
【０００２】
近年、テレビジョン放送などの映像信号を表示する装置として、様々な形式の表示画素数を有するドットマトリックス型のプラズマディスプレイ装置や液晶ディスプレイ表示装置が用いられることが多い。このようなドットマトリックス型のディスプレイ装置に映像を表示する場合には、入力画像の画素数をディスプレイ装置の画素数に合わせて表示する必要がある。このため、ドットマトリクス表示装置においては、入力画像の画素から補間画素を生成して画像を拡大／ 縮小するスケーリング処理が行われることがある。
【０００３】
補間画素を生成する補間画素生成回路としては、特許文献１に記載されたものがある。特許文献１では、補間画素の上下・左右・斜め方向の画素間で相関判定を行い、最も相関の高い組み合わせの画素の画素値を基に補間方向を決定し、その補間方向の画素の画素値を基に走査線補間画素の画素値を生成する技術を提案している。
【０００４】
また、このような補間画素生成に際して、垂直及び水平方向の高域成分を強調することで、画像の輪郭を補正する輪郭強調処理が行われることもある。例えば、特許文献２には、輪郭強調処理と補間画素生成処理とを可能にした装置が開示されている。
【０００５】
しかしながら、特許文献２の発明では、絵柄と無相関に輪郭補正処理が行われることから、絵柄の輪郭に沿った強調が行われないことがあるという問題があった。
【０００６】
なお、特許文献３においては、画素毎に水平、垂直、斜め方向のフィルタを選択して輪郭強調を行う映像信号処理装置が開示されている。
【０００７】
しかしながら、この特許文献３の発明においては、水平、垂直、斜め方向のフィルタを用いて輪郭強調を行う場合に２重にエンハンサがかかってしまうことを防止することを目的として、注目画素と周辺の画素との差分信号の絶対値が最大である方向のフィルタを選択するようになっており、必ずしも絵柄に応じた輪郭強調を行うことができないという問題があった。
【先行技術文献】
【特許文献】
【０００８】
【特許文献１】特開２００５−１９２００５号公報
【特許文献２】特開２０００−１３７４６９号公報
【特許文献３】特開２００５−１２６４２号公報
【発明の概要】
【発明が解決しようとする課題】
【０００９】
本発明は、画素間相関の判定結果に応じた輪郭補正処理及び補間画素生成処理を行うことにより、絵柄に応じた輪郭補正処理及び補間画素の生成処理を行うことができる輪郭補正回路及び補間画素生成回路を提供することを目的とする。
【課題を解決するための手段】
【００１０】
本発明の一態様の輪郭補正回路は、入力画像の各画素位置について画素間の相関方向を判定して相関方向判定結果を出力する相関方向判定部と、 前記入力画像の各画素から前記相関方向判定結果に基づく周波数帯域成分を強調帯域成分として抽出する強調帯域成分抽出部と、前記強調帯域成分を用いて前記入力画像の各画素を輪郭強調処理する輪郭強調処理部とを具備したことを特徴とする。
【００１１】
また、本発明の一態様の補間画素生成回路は、入力画像の各画素位置及び補間画素の画素位置について画素間の相関方向を判定して相関方向判定結果を出力する相関方向判定部と、 前記入力画像の各画素から前記相関方向判定結果に基づく周波数帯域成分を強調帯域成分として抽出する強調帯域成分抽出部と、前記強調帯域成分を用いて前記入力画像の各画素を輪郭強調処理する輪郭強調処理部と、前記輪郭強調処理された画素を用いて前記補間画素を生成する補間画素生成部とを具備したことを特徴とする。
【発明の効果】
【００１２】
本発明によれば、画素間相関の判定結果に応じた輪郭補正処理及び補間画素生成処理を行うことにより、絵柄に応じた輪郭補正処理及び補間画素の生成処理を行うことができるという効果を有する。
【図面の簡単な説明】
【００１３】
【図１】本発明の第１の実施の形態に係る補間画素生成回路を示すブロック図。
【図２】強調帯域成分抽出部１６における強調帯域成分の帯域の決定方法を説明するための説明図。
【図３】強調帯域成分抽出部１６における強調帯域成分の帯域の決定方法を説明するための説明図。
【図４】第１の実施の形態の動作を説明するための説明図。
【図５】本発明の第２の実施の形態を示すブロック図。
【図６】第２の実施の形態を説明するための図表。
【図７】本発明の第３の実施の形態を示すブロック図。
【図８】第３の実施の形態を説明するための説明図。
【発明を実施するための形態】
【００１４】
以下、図面を参照して本発明の実施の形態について詳細に説明する。
【００１５】
（第１の実施の形態）
図１は本発明の第１の実施の形態に係る補間画素生成回路を示すブロック図である。本実施の形態に係る補間画素生成回路は、輪郭強調処理と補間画素生成処理とを行うものであり、入力画像に基づく元の画素については、輪郭強調処理のみが行われることになる。従って、図１の補間画素生成回路は、輪郭補正回路としても機能する。なお、図１の回路を輪郭補正回路として構成する場合には、補間画素生成部は省略可能である。
【００１６】
入力端子１１を介して入力される入力映像信号は、メモリー部１２に供給される。メモリー部１２は、４個のラインメモリー１２ａ〜１２ｄを有している。各ラインメモリー１２ａ〜１２ｄは、映像信号を１水平期間ずつ順次遅延させて、４ライン分の映像信号を同時に出力することができるようになっている。メモリー部１２からの複数の映像信号は、強調帯域成分抽出部１６及び画素間相関判定部１７に供給されるようになっている。また、ラインメモリー１２ｂ，１２ｃからの映像信号は輪郭強調処理部１８に供給されるようになっている。
【００１７】
補間画素生成部１９は、画像の所定範囲の複数画素（参照画素）を用いて、新たな１画素（補間画素）を生成する補間処理を行うものであり、スケーリング処理においては、この補間処理が行われて新たな画像が生成される。補間画素を生成するためには、先ず、画像上の画素を補間する位置（以下、補間位相という）を求める。
【００１８】
補間位相生成部１５は、例えばスケーリング倍率情報が入力されており（図示省略）、スケーリング倍率等に応じて補間すべき補間位相の情報を生成して、強調帯域成分抽出部１６、画素間相関判定部１７、輪郭強調処理部１８及び補間画素生成部１９に出力する。
【００１９】
画素間相関判定部１７は、補間する画素（補間画素）の生成に用いる画素を決定するために、補間画素と相関が高い画素の方向（相関方向）を決定する。画素間相関判定部１７は、入力映像信号に基づいて、各補間位相における相関方向を求める。画素間相関判定部１７における相関方向の判定方法としては、公知の種々の手法を採用することができる。なお、本実施の形態においては、画素間相関判定部１７は、入力映像信号に含まれる元の画素についても、その周辺画素を用いて相関方向を判定することができるようになっている。
【００２０】
例えば、画素間相関判定部１７は、補間位相の上下・左右・斜め方向の画素を用いて相関判定を行い、最も相関の高い組み合わせの画素の画素値を基に相関方向を決定する。画素間相関判定部１７からの相関方向判定結果は強調帯域成分抽出部１６及び補間画素生成部１９に与えられる。補間画素生成部１９は、補間位相生成部１５から補間画素の補間位相が与えられ、入力映像信号の各補間位相について、相関方向上の画素の画素値、又は相関方向上に画素が無い場合には相関方向に隣接する画素の画素値の平均値等を用いて、補間位相における画素値を求めるようになっている。例えば、補間画素生成部１９は、輪郭強調された元の複数の画素の画素値と、元の複数の画素の画素位置と補間位相とに応じて重み付けされた補間係数とを用いて、補間画素を生成して出力する。
【００２１】
本実施の形態においては、画素間相関判定部１７が求めた相関方向判定結果を利用して、輪郭強調処理を行うようになっている。輪郭強調処理は、輪郭強調処理の対象となる画素（輪郭強調対象画素）及びその周辺の複数の画素から所定周波数帯域の強調帯域成分を抽出し、この強調帯域成分を元の輪郭強調対象画素に加えることで行われる。強調帯域成分抽出部１６は、強調帯域成分の帯域を相関判定結果に基づいて決定する。
【００２２】
図２及び図３は強調帯域成分抽出部１６における強調帯域成分の帯域の決定方法を説明するための説明図である。図２において、水平の破線は画像の各ラインを示している。各ライン上の丸印は画素位置を示しており、ライン上にない塗り潰した丸印は補間位相を示している。また、図３は横軸に水平周波数をとり縦軸に垂直周波数をとって、強調帯域成分の各帯域を示している。
【００２３】
図２中の方向Ａ〜Ｅは、画素間相関判定部１７によって求められた相関方向を示している。例えば、相関方向Ａは、黒丸にて示した補間位相における相関方向が垂直方向であることを示している。図３は、領域Ａ〜Ｅによって、強調帯域成分抽出部１６が強調帯域成分として選択する帯域を示している。
【００２４】
図３の領域Ａ〜Ｅは、夫々図２の方向Ａ〜Ｅに対応しており、例えば、相関方向が方向Ａである場合には、強調帯域成分抽出部１６は、強調帯域成分として領域Ａにて示す帯域を選択することを示している。
【００２５】
例えば、相関方向が相関Ａとなる細い縦線の絵柄のように、水平周波数が高く垂直周波数が低い画像については、強調帯域成分として水平周波数が高く垂直周波数が低い帯域の成分を周辺画素から抽出する。これにより、絵柄に応じた輪郭強調が可能である。図３の各領域は、相関方向、即ち、絵柄に対応した周波数帯域に設定されている。
【００２６】
強調帯域成分抽出部１６は、図３に基づいて、輪郭強調対象画素及びその周辺の画素から相関方向に対応する帯域の成分を強調帯域成分として抽出する。つまり、強調帯域成分抽出部１６は、相関方向が垂直に近い程水平周波数が高く垂直周波数が低い帯域を抽出するようになっている。なお、図３は強調帯域の選択の仕方の一例を示しており、選択する帯域の区分の仕方及び相関方向との対応等は、適宜設定可能である。
【００２７】
これにより、強調帯域成分抽出部１６によって、絵柄に応じた強調帯域成分が得られる。この強調帯域成分は輪郭強調処理部１８に与えられる。輪郭強調処理部１８は、入力された輪郭強調対象画素の画素値に強調帯域成分を加算して、輪郭強調した画素を補間画素生成部１９に出力する。
【００２８】
補間画素生成部１９は、入力映像信号に基づく元の画素位置の画素については、輪郭強調処理部１８の出力を、そのまま出力映像信号の画素値として出力端子２０に出力する。また、補間画素生成部１９は、補間位相については、輪郭強調処理部１８からの輪郭強調された画素を用いた補間処理によって、補間画素を生成して出力端子２０に出力する。
【００２９】
次に、このように構成された実施の形態の動作について図４を参照して説明する。図４は強調帯域成分の抽出方法を説明するための説明図である。図４において、水平の破線は画像の各ラインを示している。各ライン上の丸印は画素位置を示しており、ライン上にない塗り潰した丸印は生成しようとする補間画素を示し、斜線を施した丸印は補間画素の生成に用いる画素を示している。
【００３０】
図１において、入力映像信号は、メモリー部１２に与えられる。メモリー部１２の各ラインメモリー１２ａ〜１２ｄは１ライン（水平期間）分の映像信号を記憶し、各ラインメモリー１２ａ〜１２ｄからは、連続した各ラインの映像信号が出力される。メモリー部１２からの映像信号は、強調帯域成分抽出部１６及び画素間相関判定部１７に与えられる。強調帯域成分抽出部１６及び画素間相関判定部１７には、図４に示すように、各ライン上の画素の値が入力される。
【００３１】
画素間相関判定部１７は、メモリー部１２からの映像信号に基づいて、元の画素の画素位置及び補間位相における相関方向を判定して、相関方向判定結果を出力する。いま、図４の黒丸で示す補間位相について、相関方向が図４の画素Ｂ１，Ｃ２を結ぶ線で示されることが判定されたものとする。また、補間画素生成部１９が、この相関方向上の画素Ｂ１，Ｃ２を用いて黒丸にて示す補間位相の画素値を求めるものとする。
【００３２】
この場合には、強調帯域成分抽出部１６は、相関方向判定結果が与えられて、画素Ｂ１，Ｃ２について、相関方向に応じた帯域の成分を抽出する。図２の例では、図４の相関方向は方向Ｃであり、図３の例では、水平及び垂直周波数が比較的高い領域Ｃの帯域が、強調帯域成分抽出部１６によって抽出される。
【００３３】
例えば、強調帯域成分抽出部１６は、画素Ｂ１及び上下に隣接する画素Ａ１，Ｃ１，Ｂ０，Ｂ２の画素値を夫々Ｂ１，Ａ１，Ｃ１，Ｂ０，Ｂ２とし、画素Ｃ２及び上下に隣接する画素Ｂ２，Ｄ２，Ｃ１，Ｃ３の画素値を夫々Ｃ２，Ｂ２，Ｄ２，Ｃ１，Ｃ３とすると、下記（１）式によって、画素Ｂ１から所望の周波数帯域成分を抽出することができ、下記（２）式によって、画素Ｃ２から所望の周波数帯域成分を抽出することができる。
【００３４】
B1'= A1*v0 + ((B0*h0 + B1*h1 + B2*h0)*v1) + C1*v0      …（１）
C2'= B2*v0 + ((C1*h0 + C2*h1 + C3*h0)*v1) + D2*v0      …（２）
なお、*は乗算を示し、h0,h1は抽出する水平周波数を決定するフィルタ係数であり、v0,v1は抽出する垂直周波数を決定するフィルタ係数である。
【００３５】
即ち、h0，h1，v0，v1を、領域Ｃに対応した係数に設定することで、上記（１），（２）式から、画素Ｂ１，Ｃ２に対する強調帯域成分を抽出することができる。
【００３６】
強調帯域成分抽出部１６は、求めた強調帯域成分を輪郭強調処理部１８に出力する。輪郭強調処理部１８は、画素Ｂ１，Ｃ２の画素値に、夫々強調帯域成分Ｂ１’，Ｃ２’を加算することで、画素Ｂ１，Ｃ２を輪郭強調して補間画素生成部１９に出力する。補間画素生成部１９は、輪郭強調された画素Ｂ１，Ｃ２を用いて、図４の黒丸にて示す補間位相の画素値を生成する。
【００３７】
このように、本実施の形態においては、輪郭強調のために加算する強調帯域成分の帯域を、相関方向に応じた帯域に設定することで、絵柄に応じた輪郭強調処理及び補間処理が可能である。
【００３８】
なお、輪郭補正回路と補間画素生成回路とを別々に構成して、輪郭補正処理と補間処理とを別々に行うことも考えられる。しかしこの場合には、輪郭補正処理によって元の画素位置の画素の輪郭補正処理が終わった後、補間処理が行われることになる。このため、所定の補間画素の生成に用いる複数の画素が、異なる相関方向に基づいて輪郭補正処理されていることが考えられる。これに対し、本実施の形態においては、補間画素の生成毎に輪郭強調処理を行うことができ、所定の補間画素の生成に用いる複数の画素は、同一の相関方向に基づいて輪郭補正処理されることになり、絵柄に応じた輪郭補正及び補間処理が可能である。
【００３９】
なお、図１の例は４ラインの映像信号を用いて相関判定、強調帯域成分の抽出を行う例を示したが、相関判定及び強調帯域成分の抽出に用いるライン数、画素数は適宜設定可能であることは明らかである。また、図１では、補間画素生成部１９において、輪郭補正後の２ラインの画素値を用いて補間画素を生成する例を示しているが、補間画素の生成に用いる画素数等、生成の方法は適宜設定可能である。
【００４０】
（第２の実施の形態）
図５は本発明の第２の実施の形態を示すブロック図である。図５において図１と同一の構成要素には同一符号を付して説明を省略する。また、図６は本実施の形態を説明するための図表である。図６は図２の相関方向Ａ〜Ｅに対応する垂直強調帯域成分（例えば図3の領域Ｃ，Ｄ，Ｅ）及び水平強調帯域成分（例えば図３の領域Ａ，Ｂ，Ｃ）のゲインを調整するための係数の例を示した表であり、強調帯域成分抽出部２１は、画素間相関判定部１７から相関方向判定結果が与えられ、相関方向判定結果によって示される相関方向に応じた係数を選択し、ゲイン調整を行った強調帯域成分を抽出する。
【００４１】
強調帯域成分抽出部２１は、図４を用いて説明すると、黒丸にて示した補間位相における相関方向が図２の方向Ｂの場合、画素Ｂ１及び上下に隣接する画素Ａ１，Ｃ１，Ｂ０，Ｂ２の画素値を夫々Ｂ１，Ａ１，Ｃ１，Ｂ０，Ｂ２とし、画素Ｃ２及び上下に隣接する画素Ｂ２，Ｄ２，Ｃ１，Ｃ３の画素値を夫々Ｃ２，Ｂ２，Ｄ２，Ｃ１，Ｃ３とし、図６の表から垂直強調帯域成分用ゲイン係数は０．５、水平強調帯域成分用ゲイン係数は１．５となると、下記（３）式によって、画素Ｂ１から所望の強調帯域成分Ｂ１'を抽出することができ、下記（４）式によって、画素Ｃ２から所望の強調帯域成分Ｃ２'抽出することができる。
【００４２】
Ｂ１'= (A1*v0 + B1*v1 +  C1*v0)*0.5 + (B0*h0 + B1*h1 +  B2*h0)*1.5      …（３）
Ｃ２'= (B2*v0 + C2*v1 +  D2*v0)*0.5 + (C1*h0 + C2*h1 +  C3*h0)*1.5      …（４）
なお、*は乗算を示し、h0,h1は抽出する水平周波数を決定するフィルタ係数であり、v0,v1は抽出する垂直周波数を決定するフィルタ係数である。また、図６の例では、相関方向が垂直方向に近づくほど、即ち、縦線に近い程水平強調帯域成分のゲインを増大させると共に垂直強調帯域成分のゲインを減少させ、逆に、相関方向が水平方向に近づくほど、即ち、柄が横線に近い程垂直強調帯域成分のゲインを増大させると共に水平強調帯域成分のゲインを減少させる。
【００４３】
このように構成された実施の形態においては、輪郭強調処理の効果を一層増大させることが可能である。
【００４４】
（第３の実施の形態）
図７は本発明の第３の実施の形態を示すブロック図である。図７において図１と同一の構成要素には同一符号を付して説明を省略する。また、図８は本実施の形態を説明するための説明図であり、図８（ａ）〜（ｃ）は横軸に入力をとり縦軸に出力をとってコアリング特性を示すもので、図８（ａ）〜（ｃ）は夫々コアリング特性の閾値（コアリング閾値）が０の場合、コンリング閾値が小さい場合、コンリング閾値が大きい場合を示している。
【００４５】
強調帯域成分抽出部３１において抽出した強調帯域成分には、絵柄とは無関係なノイズ成分が含まれることが考えられる。そこで、本実施の形態においては、輪郭強調処理部３１は、強調帯域成分の振幅が小さい場合には、ノイズ成分であるものと判断して、強調帯域成分の振幅を抑制するコアリング特性を付すものである。
【００４６】
強調帯域成分抽出部３１は、画素間相関判定部１７から相関方向判定結果が与えられ、相関方向判定結果によって示される相関方向に応じて、コアリング閾値を変化させながら、強調帯域成分にコアリング特性を付した後、元の画素値に加算する。例えば、輪郭強調処理部３１は、相関方向が垂直方向に近づくほど、即ち、水平周波数が高い絵柄ほど垂直強調帯域成分のコアリング閾値を大きくすると共に水平強調帯域成分のコアリング閾値を小さくし、逆に、相関方向が水平方向に近づくほど、即ち、垂直周波数が高い絵柄ほど水平強調帯域成分のコアリング閾値を大きくさせると共に垂直強調帯域成分のコアリング閾値を小さくさせる。
【００４７】
このように構成された実施の形態においては、抽出された強調帯域成分が、相関方向に応じて決定されたコアリング閾値よりも小さい場合には、強調帯域成分の振幅を０にすることで、絵柄と無関係なノイズ成分が強調されてしまうことを抑制することができる。
【００４８】
なお、上記第２及び第３の実施の形態を組み合わせることができることは明らかである。
【００４９】
上記第２及び第３の実施の形態においては、強調帯域成分を水平周波数帯域成分と垂直周波数帯域成分とに分けて、ゲイン及びコアリング特性を付す例を示した。強調帯域成分抽出部３１は、抽出する垂直強調帯域成分の振幅を決定するゲイン係数をgvとし、抽出する水平強調帯域成分の振幅を決定するゲイン係数をghとして、下記（５）乃至（８）式によって強調帯域成分を求めることができる。即ち、画素Ｂ１及び上下に隣接する画素Ａ１，Ｃ１，Ｂ０，Ｂ２の画素値を夫々Ｂ１，Ａ１，Ｃ１，Ｂ０，Ｂ２とし、画素Ｃ２及び上下に隣接する画素Ｂ２，Ｄ２，Ｃ１，Ｃ３の画素値を夫々Ｃ２，Ｂ２，Ｄ２，Ｃ１，Ｃ３とすると、下記（５）式によって、画素Ｂ１に基づく垂直強調帯域成分Ｂ１ｖが得られ、下記（６）式によって、画素Ｂ１に基づく水平強調帯域成分Ｂ１ｈが得られ、下記（７）式によって、画素Ｃ２に基づく垂直強調帯域成分Ｃ２ｖが得られ、下記（８）式によって、画素Ｃ２に基づく水平強調帯域成分Ｃ２ｈが得られる。
【００５０】
B1v = (A1*v1 + B1*v0 + C1*v1)*gv      …（５）
B1h = (B0*h1 + B1*h0 + B2*h1)*gh      …（６）
C2v = (B2*v1 + C2*v0 + D2*v1)*gv      …（７）
C2h = (C1*h1 + C2*h0 + C3*h1)*gh      …（８）
なお、*は乗算を示し、h0,h1は抽出する水平周波数を決定するフィルタ係数であり、v0,v1は抽出する垂直周波数を決定するフィルタ係数である。
【００５１】
即ち、h0，h1，v0，v1を、相関方向に対応した係数に設定すると共に、gv，ghを相関方向に対応した係数に設定することで、上記（５）乃至（８）式から、画素Ｂ１，Ｃ２に対して加算する水平及び垂直強調帯域成分が得られる。
【００５２】
相関方向に応じてゲインが付された強調帯域成分に、更にコアリング特性を付すものとする。この場合のコアリング特性は、下記（９）乃至（１２）式によって示すことができる。
【００５３】
if(B1v <CorV) B1v = 0          …（９）
if(B1h <CorH) B1h = 0          …（１０）
if(C2v <CorV) C2v = 0          …（１１）
if(C2h <CorH) C2h = 0          …（１２）
なお、CorVは垂直強調帯域成分に付すコアリング閾値を示し、CorHは水平強調帯域成分に付すコアリング閾値を示している。
【００５４】
こうして、下記（１３）及び（１４）式に示すように、画素Ｂ１に対する強調帯域成分Ｂ１’及び画素Ｃ２に対する強調帯域成分Ｃ２’を得ることができる。
【００５５】
B1'= B1v + B1h                  …（１３）
C2'= C2v + C2h                  …（１４）
このように、CorV，CorHを相関方向に対応した係数に設定することで、絵柄と無関係なノイズ成分を強調してしまうことを抑制しながら、絵柄に対応した輪郭強調処理が可能である。
【符号の説明】
【００５６】
１０…補間画素生成回路、１２…メモリー部、１５…補間位相生成部、１６…強調帯域成分抽出部、１７…画素間相関判定部、１８…輪郭強調処理部、１９…補間画素生成部。
【図１】
2010171624.tif 000003
【図２】
2010171624.tif 000004
【図３】
2010171624.tif 000005
【図４】
2010171624.tif 000006
【図５】
2010171624.tif 000007
【図６】
2010171624.tif 000008
【図７】
2010171624.tif 000009
【図８】
2010171624.tif 000010